(57)【特許請求の範囲】
【請求項１】
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して放送するデジタル放送システムにおいて、
複数の伝送チャネルに伝送するＯＦＤＭ信号を直交性を保った状態で周波数方向に多重化する連結送信を行い、上記連結送信される複数のトランスポートストリームを関連づける連結送信記述子を、ＭＰＥＧ−２Ｓｙｓｔｅｍｓに規定された制御情報に含めて送信すること
を特徴とするデジタル放送システム。
【請求項２】
上記記述子を、ＭＰＥＧ−２Ｓｙｓｔｅｍｓに規定されたＮＩＴ（Ｎｅｔｗｏｒｋ  Ｉｎｆｏｒｍａｔｉｏｎ  Ｔａｂｌｅ）に含めて送信すること
を特徴とする請求の範囲第１項記載のデジタル放送システム。
【請求項３】
上記記述子に、連結送信時の物理的条件を記述すること
を特徴とする請求の範囲第１項記載のデジタル放送システム。
【請求項４】
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して送信するデジタル放送送信装置において、
上記放送ネットワークは、複数の伝送チャネルに伝送するＯＦＤＭ信号を直交性を保った状態で周波数方向に多重化する連結送信が可能とされ、
上記連結送信される複数のトランスポートストリームを関連づける連結送信記述子を、ＭＰＥＧ−２Ｓｙｓｔｅｍｓに規定された制御情報に含めて送信すること
を特徴とするデジタル放送送信装置。
【請求項５】
上記記述子を、ＭＰＥＧ−２Ｓｙｓｔｅｍｓに規定されたＮＩＴ（Ｎｅｔｗｏｒｋ  Ｉｎｆｏｒｍａｔｉｏｎ  Ｔａｂｌｅ）に含めて送信すること
を特徴とする請求の範囲第４項記載のデジタル放送送信装置。
【請求項６】
上記記述子に、連結送信時の物理的条件を記述すること
を特徴とする請求の範囲第４項記載のデジタル放送送信装置。
【請求項７】
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して受信するデジタル放送受信装置において、
複数の伝送チャネルに伝送するＯＦＤＭ信号を直交性を保った状態で周波数方向に多重化する連結送信が行われたトランスポートストリームを受信する場合には、
上記連結送信される複数のトランスポートストリームを関連づける連結送信記述子を、ＭＰＥＧ−２Ｓｙｓｔｅｍｓに規定された制御情報から抽出し、
抽出した記述子に記述された情報に基づき受信制御を行うこと
を特徴とするデジタル放送受信装置。
【請求項８】
伝送チャネルの切り換えをする際に、上記記述子に基づき切換前の伝送チャネルと切換後の伝送チャネルとが連結送信されているかどうかを判断し、
連結送信されている場合には、ＯＦＤＭ方式の復調の同期を保った状態で伝送チャネルの切換をすること
を特徴とする請求の範囲第７項記載のデジタル放送受信装置。
【請求項９】
同期変調方式のＯＦＤＭ信号を受信している場合には、
隣接する伝送チャネルが連結送信されており、且つ、隣接する伝送チャネル又は隣接するセグメントが同期変調方式のＯＦＤＭ信号を送信していれば、隣接する伝送チャネル又は隣接するセグメントのＯＦＤＭ信号に含まれているパイロット信号を用いて伝送路特性を推定すること
を特徴とする請求の範囲第７項記載のデジタル放送受信装置。
【請求項１０】
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して放送するデジタル放送方法において、
複数の伝送チャネルに伝送するＯＦＤＭ信号を直交性を保った状態で周波数方向に多重化する連結送信を行い、上記連結送信される複数のトランスポートストリームを関連づける連結送信記述子を、ＭＰＥＧ−２Ｓｙｓｔｅｍｓに規定された制御情報に含めて送信すること
を特徴とするデジタル放送方法。
【請求項１１】
上記記述子を、ＭＰＥＧ−２Ｓｙｓｔｅｍｓに規定されたＮＩＴ（Ｎｅｔｗｏｒｋ  Ｉｎｆｏｒｍａｔｉｏｎ  Ｔａｂｌｅ）に含めて送信すること
を特徴とする請求の範囲第１０項記載のデジタル放送方法。
【請求項１２】
上記記述子に、連結送信時の物理的条件を記述すること
を特徴とする請求の範囲第１０項記載のデジタル放送方法。
【発明の詳細な説明】
技術分野
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して放送するデジタル放送システムに関するものである。
背景技術
日本では、地上デジタル音声放送方式として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調を用いたＩＳＤＢ−Ｔｎ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｎａｒｒｏｗ）又はＩＳＤＢ−Ｔｓｗと呼ばれる放送規格が提案されている。また、日本では、社団法人電波産業界（ＡＲＩＢ）によって、デジタル放送に使用する番組配列情報の構成、信号の種類、及び、そのデータ構造、並びに、識別子の運用基準として、「デジタル放送に使用する番組配列情報  標準規格  ＡＲＩＢ  ＳＴＤ−Ｂ１０」が提案されている。「デジタル放送に使用する番組配列情報  標準規格  ＡＲＩＢ  ＳＴＤ−Ｂ１０」は、２０００年６月時点で１．３版が発行されている。以下、ＡＲＩＢ  ＳＴＤ−Ｂ１０と呼ぶ。このＡＲＩＢ  ＳＴＤ−Ｂ１０では、番組配列情報をＭＰＥＧ−２Ｓｙｓｔｅｍｓ（ＩＴＵ−Ｔ  Ｈ．２２２．０  ＩＳＯ／ＩＥＣ１３８１８−１）で規定されるセクション形式のデータ構造を用いて伝送することが規定されている。日本における地上デジタル音声放送では、このＡＲＩＢ  ＳＴＤ−Ｂ１０に従い、放送番組の配列情報等の構成が定められている。なお、ＡＲＩＢ  ＳＴＤ−Ｂ１０は、２０００年８月２５日現在、１．３版の改訂版となる３．１版が発行されている。
ところで、ＯＦＤＭ方式のデジタル放送を行う場合、隣接する周波数チャネルからの混信を防ぐため、各チャネル間に所定量の周波数間隔を空けて、ガードバンドを設けるのが一般的である。これに対して、本出願人は、隣接する周波数チャネルを周波数方向に連結してＯＦＤＭ変調を行う連結送信方法を、国際特許出願（国際公開番号ＷＯ００／５２８６１）で提案した。この連結送信方法は、複数の伝送チャネルの周波数領域のＯＦＤＭ信号の中心周波数をそれぞれ変えて、これらを周波数方向に多重化し、複数の伝送チャネルの周波数領域のＯＦＤＭ信号を一括してＩＦＦＴ（Ｉｎｖｅｒｓｅ  Ｆａｓｔ  Ｆｏｕｒｉｅｒ  Ｔｒａｎｓｆｏｒｍ）逆フーリエ変換する方法である。このように処理をすることによって、複数の伝送チャネルに伝送するＯＦＤＭ信号を直交性を保った状態で周波数方向に多重化することが可能となる。
このＯＦＤＭ信号の連結送信方法では、各チャネル間のガードバンドを除去した状態で、複数の伝送チャネルを周波数軸方向に連結して送信することができ、周波数利用効率を向上させた放送を行うことができる。
なお、この連結送信方法は、現在、ＩＳＤＢ−Ｔｎに採用されている。
このような連結送信を行った場合、周波数利用効率を向上させるのみならず、受信側でも例えば以下のような有用な効果がある。
例えば、受信する伝送チャネルの切り換えを行う場合、受信装置は、切り換え前の伝送チャネルの同期を外して、切り換え後の伝送チャネルの周波数にチューニングを行う。そののち、受信装置は、切り換え後の伝送チャネルから伝送制御信号（ＩＳＤＢ−Ｔｎ方式ではＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）が伝送制御信号にあたる。）のシンクコードを検出して、ＯＦＤＭセグメント（ＯＦＤＭ信号の伝送データのフレーム）の同期の引き込み動作を行う。このＯＦＤＭセグメントの同期の引き込み動作が確立すると、受信装置は、切り換え後の伝送チャネルの信号を復調することができる。
これに対して、連結送信を行った場合には、チャネル間のＯＦＤＭセグメントを同期させた状態で送信信号を生成することが可能である。このようにＯＦＤＭセグメントを同期させた状態で送信信号が生成された場合、受信装置は、連結送信がされた伝送チャネル間でチャネル切り換えを行っても、切り換え前の伝送チャネルで確立していた同期タイミングを、引き続き切り換え後の伝送チャネルでも用いることができる。そのため、受信装置は、復調のための同期の引き込み動作を簡略化でき、チャネル切り換え時間が高速化することができる。
なお、本出願人は、以上の連結送信時のチャネル切り換えの高速化の提案を、日本国特許出願  特願２０００−１１７２２６並びに特願２０００−１１７２２７で行っている。
また、伝送チャネルの変調方式が同期変調方式の場合、受信装置は、当該ＯＦＤＭセグメント内に挿入されているＳＰ（Ｓｃａｔｔｅｒｅｄ  Ｐｉｌｏｔ）信号を用いて伝送路の伝送特性を推定して波形等化処理を行う。このＳＰ信号は、ＩＳＤＢ−Ｔｎの規格上定められている。このＳＰ信号は、周波数方向に対して離散的に挿入されているので、受信装置では、これらのＳＰ信号を周波数方向に補間することにより、伝送チャネル内の全てのサブキャリア位置のＯＦＤＭシンボルに対する伝送特性を推定することができる。しかしながら、伝送チャネルにおける周波数方向の端部分のＯＦＤＭシンボルは、伝送チャネルの周波数方向の中心部分のＯＦＤＭシンボルと比べて、推定の為に参照するＳＰ信号の数が少なくなってしまう。そのため、伝送チャネルの周波数方向の端部分のＯＦＤＭシンボルに対する伝送路特性は、その推定特性が悪くなってしまっていた。
これに対して、受信中の伝送チャネルに対して、連結送信がされた同期変調方式の上隣接チャネル（高周波側に隣接する伝送チャネル）或いは同期変調方式の下隣接伝送チャネル（低周波側に隣接する伝送チャネル）が存在する場合、上下隣接伝送チャネルに含まれているＳＰ信号を利用して、伝送特性を推定することができる。そのため、伝送チャネルの周波数方向の端部部分のＯＦＤＭシンボルも、伝送チャネルの周波数方向の中心部分のＯＦＤＭシンボルと同様の補間特性を得ることができ、より正確に伝送路特性を推定することができる。
以上のように、連結送信を行った場合、受信側では、チャネル切換を高速化したり、伝送路特性の推定特性を向上させたりすることが可能となる。
しかしながら、従来は、受信中の伝送チャネルと他の伝送チャネルとが連結送信されているかどうかという情報、並びに、上隣接伝送チャネルが存在するか又は下隣接伝送チャネルが存在するかという情報、さらに、それらが同期変調方式か差動変調方式かという情報を、受信装置側で知ることはできなかった。
発明の開示
本発明は、ＭＰＥＧ−２Ｓｙｓｔｅｍｓに規定されたトランスポートストリームを直交周波数分割多重（ＯＦＤＭ）方式で変調した信号が放送信号として適用され、受信側で、連結送信されている伝送チャネルを知ることができるデジタル放送システム、デジタル放送送信装置、デジタル放送受信装置、並びに、デジタル放送方法を提供することを目的とする。
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して放送するデジタル放送システムであって、複数の伝送チャネルに伝送するＯＦＤＭ信号を直交性を保った状態で周波数方向に多重化する連結送信を行い、上記連結送信される複数のトランスポートストリームを関連づける連結送信記述子を、ＭＰＥＧ−２Ｓｙｓｔｅｍｓに規定された制御情報に含めて送信することを特徴とする。
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して送信するデジタル放送送信装置であって、上記放送ネットワークは、複数の伝送チャネルに伝送するＯＦＤＭ信号を直交性を保った状態で周波数方向に多重化する連結送信が可能とされ、上記連結送信される複数のトランスポートストリームを関連づける連結送信記述子を、ＭＰＥＧ−２Ｓｙｓｔｅｍｓに規定された制御情報に含めて送信することを特徴とする。
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して受信するデジタル放送受信装置であって、複数の伝送チャネルに伝送するＯＦＤＭ信号を直交性を保った状態で周波数方向に多重化する連結送信が行われたトランスポートストリームを受信する場合には、上記連結送信される複数のトランスポートストリームを関連づける連結送信記述子を、ＭＰＥＧ−２Ｓｙｓｔｅｍｓに規定された制御情報から抽出し、抽出した記述子に記述された情報に基づき受信制御を行うことを特徴とする。
ＭＰＥＧ−２Ｓｙｓｔｅｍｓに規定されたトランスポートストリームを直交周波数分割多重（ＯＦＤＭ）方式で変調したＯＦＤＭ信号を、複数の伝送チャネルから構成された放送ネットワークを介して放送するデジタル放送方法であって、複数の伝送チャネルに伝送するＯＦＤＭ信号を直交性を保った状態で周波数方向に多重化する連結送信を行い、上記連結送信される複数のトランスポートストリームを関連づける連結送信記述子を、ＭＰＥＧ−２Ｓｙｓｔｅｍｓに規定された制御情報に含めて送信することを特徴とする。
発明を実施するための最良の形態
以下、本発明を実施するための最良の形態として、本発明をＩＳＤＢ−Ｔｎ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｎａｒｒｏｗ）方式の地上波デジタル放送システムに適用した例について説明をする。ＩＳＤＢ−Ｔｎは、日本において採用される地上デジタル音声放送規格である。
本発明の実施の形態の地上デジタル放送システム１は、図１に示すように、複数の放送局１０，２０，３０からそれぞれデジタル方式で送信される地上波放送を、受信装置２００で受信するシステムである。
各放送局１０，２０，３０には、送信装置１００が備えられている。この送信装置１００は、アンテナを介して放送波を送信する。各放送局１０，２０，３０から送信される放送波の到達距離には限界がある。この地上デジタル放送システム１において、放送波を受信可能な範囲を、サービスエリア１０ａ，２０ａ，３０ａとして示す。
ＩＳＤＢ−Ｔｎでは、変調方式にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を採用している。また、ＩＳＤＢ−Ｔｎでは、送信するデジタル情報系列としてＭＰＥＧ−２Ｓｙｓｔｅｍｓ（ＩＴＵ−Ｔ  Ｈ．２２２．０，ＩＳＯ／ＩＥＣ  １３８１８−１）を採用している。また、ＩＳＤＢ−Ｔｎでは、１つの伝送チャネルに、１本のトランスポートストリームを送信している。
また、ＩＳＤＢ−Ｔｎでは、ＭＰＥＧ−２Ｓｙｓｔｅｍｓで規定されるトランスポートパケット（ＴＳＰ）複数個からなるデータセグメントと呼ぶデータ単位でグループ化し、さらに、このデータセグメントに、パイロット信号（ＳＰ［Ｓｃａｔｔｅｒｅｄ  Ｐｉｌｏｔ］，ＣＰ［Ｃｏｎｔｉｎｕａｌ  Ｐｉｌｏｔ］，ＴＭＣＣ［ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ］，ＡＣ［Ａｕｘｉｌｉａｒｙ  Ｃｈａｎｎｅｌ］）を付加し、ＯＦＤＭセグメントと呼ぶ送信フレームを形成して、ＯＦＤＭ変調を行う。
このＯＦＤＭセグメントのデータ構成（ＩＳＤＢ−Ｔｎ規格におけるモード１の場合）を、図２及び図３に示す。この図２及び図３は、横軸が周波数方向を示しており、縦軸が時間軸方向を示している。また、図２は、差動変調（ＤＱＰＳＫ）により情報信号を変調する場合におけるＯＦＤＭセグメントの構成を示しており、図３は、同期変調（ＱＰＳＫ、１６ＱＡＭ、６４ＱＡＭ）により情報信号を変調する場合におけるＯＦＤＭセグメントの構成を示している。
この図２及び図３に示すように、ＩＳＤＢ−Ｔｎ（モード１）では、２０４個のＯＦＤＭシンボル（シンボル番号＃０〜＃２０３）が時間方向に並べられて構成されている。ＯＦＤＭシンボルは、一括してＦＦＴがされる単位である。また、１ＯＦＤＭシンボルは、１０８個のデータから構成されている。各ＯＦＤＭシンボルを構成するデータは、それぞれ帯域内に割り当てられた１０８個のサブキャリア（キャリア番号＃０〜＃１０７）に変調される。
差動変調方式のＯＦＤＭセグメントは、ＤＱＰＳＫで直交変調された情報信号（Ｓ０，０〜Ｓ９５，２０３）と、ＣＰ（Ｃｏｎｔｉｎｕａｌ  Ｐｉｌｏｔ）信号、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号、ＡＣ（Ａｕｘｉｌｉａｒｙ  Ｃｈａｎｎｅｌ）信号といった各種制御信号とが含まれて形成される。一方、同期変調方式のＯＦＤＭセグメントには、ＱＰＳＫ、１６ＱＡＭ、６４ＱＡＭで直交変調された情報信号（Ｓ０，０〜Ｓ９５，２０３）と、ＣＰ信号、ＴＭＣＣ信号、ＡＣ信号、ＳＰ（Ｓｃａｔｔｅｒｅｄ  Ｐｉｌｏｔ）信号といった制御信号とが含まれて形成される。
ＣＰ信号は、全て固定の位相及び振幅の信号である。ＣＰ信号は、差動変調により情報信号を変調する場合、各ＯＦＤＭシンボルの先頭キャリア（もっとも周波数が低い位置）に配置されている。
ＳＰ信号は、ＢＰＳＫ変調された信号であり、周波数方向に１２キャリアに１回、シンボル方向に４シンボルに１回挿入されるように配置されている。このＳＰ信号は、受信側で波形等化する際に伝搬路特性を推定するために用いられるものであるので、波形等化を必要とする同期変調（ＱＰＳＫ、１６ＱＡＭ、６４ＱＡＭ）の場合にのみ、ＯＦＤＭセグメント内に挿入がされる。
ＴＭＣＣ信号及びＡＣ信号は、ＢＰＳＫ変調された信号であり、セグメント内の所定の位置に配置されている。ＡＣ信号は、付加情報の伝送に用いられる。ＴＭＣＣ信号は、１ＯＦＤＭセグメント単位で完結する２０４ビット（Ｂ０〜Ｂ２０３）の伝送制御情報である。このＴＭＣＣ信号内には、伝送制御情報として、例えば、シンクコード、変調方式、畳み込み符号化率、インタリーブ長等が含まれている。
ＩＳＤＢ−Ｔｎでは、図４に示すように、以上のＯＦＤＭセグメントを１つ又は３つ周波数方向に組み合わせて、１つの伝送チャネルを形成して送信する。ＩＳＤＢ−Ｔｎでは、周波数方向に３つのＯＦＤＭセグメントを並べて伝送チャネルを形成する送信形式を３セグメント形式と呼び、周波数方向に１つのＯＦＤＭセグメントを並べて１つの伝送チャネルを形成する送信形式を１セグメント形式と呼ぶ。
３セグメント形式は、周波数方向の中央部の１つのＯＦＤＭセグメント（Ａ階層）と、周波数方向に上下に隣接する２つのＯＦＤＭセグメント（Ｂ階層）で伝送チャネルを形成し、Ａ階層とＢ階層とで伝送特性を異ならせた２階層伝送をすることが可能である。すなわち、３セグメント形式では、Ａ階層とＢ階層とでキャリア変調方式、内符号の符号化率、時間インタリーブ長等のパラメータを変えることが可能である。また、３セグメント形式では、各階層内で周波数インタリーブを完了させている。そのため、３セグメント方式におけるＡ階層のＯＦＤＭセグメントは、１セグメント形式の送信信号のみしか受信することができない機能限定された受信装置でも、部分受信が可能となっている。
また、このＯＦＤＭセグメントは、地上デジタルテレビジョン放送方式であるＩＳＤＢ−Ｔｗ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｗｉｄｅ）と相互運用が図られるように規定されている。ＩＳＤＢ−Ｔｗでは、１３個のＯＦＤＭセグメントで１チャネルを構成しており、さらに階層が、Ａ、Ｂ、Ｃの３階層構成となっている。
ＩＳＤＢ−Ｔｎでは、日本においては例えば１８８ＭＨｚ〜１９４ＭＨｚ帯域や１９２〜１９８ＭＨｚ帯域（帯域幅６ＭＨｚ）といった周波数帯域が、使用周波数帯域として割り当てられている。ＩＳＤＢ−Ｔｎでは、この帯域幅６ＭＨｚ内が、１３個のセグメントに分割される。ＩＳＤＢ−Ｔｎでは、この１３個のセグメントに対して、上記のＯＦＤＭセグメントが割り当てられ、送信が行われる。
また、ＩＳＤＢ−Ｔｎでは、複数の伝送チャネルを連結送信する場合、この６ＭＨｚ帯域内の１３個のセグメント内の伝送チャネル間で行われる。ＩＳＤＢ−Ｔｎでは、この１３個のセグメントの中であれば、２個以上１３個以内のセグメント数の組み合わせのなかから任意の数で連結を行うことができる。また、１セグメント形成の伝送チャネルと、３セグメント形式の伝送チャネルとを連結することも可能である。
ところで、ＩＳＤＢ−Ｔｎでは、番組を選択や番組の情報を取得するための補助的な情報となるＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎをトランスポートストリームに含めて送信する。ＩＳＤＢ−Ｔｎで使用されるＰＳＩ／ＳＩは、ＭＰＥＧ−２Ｓｙｓｔｅｍｓ並びにＡＲＩＢ  ＳＴＤ−Ｂ１０で定義されている。
ＭＰＥＧ−２Ｓｙｓｔｅｍｓ並びにＡＲＩＢ  ＳＴＤ−Ｂ１０では、ＰＳＩ／ＳＩ情報の一つとして、ＮＩＴ（Ｎｅｔｗｏｒｋ  Ｉｎｆｏｒｍａｔｉｏｎ  Ｔａｂｌｅ）を規定している。このＮＩＴは、ネットワークにより運ばれるトランスポートストリームの物理的構成に関する情報、及びネットワーク自身の特定を表している。ＡＲＩＢ  ＳＴＤ−Ｂ１０では、ＮＩＴ内のトランスポートストリームループ内に、ネットワークに属するトランスポートストリームに関する周波数情報や伝送パラメータ等、放送信号そのものに関する物理的条件を示した地上分配システム記述子［ｔｅｒｒｅｓｔｒｉａｌ＿ｄｅｌｉｖｅｒｙ＿ｓｙｓｔｅｍ＿ｄｅｓｃｒｉｐｔｏｒ（）］やサービスリスト記述子Ｓｅｒｖｉｃｅ  Ｄｅｓｃｒｉｐｔｉｏｎ  Ｔａｂｌｅ［ｓｅｒｖｉｃｅ＿ｌｉｓｔ＿ｄｅｓｃｒｉｐｔｏｒ（）］を含めて伝送することが定義されている。
ここで、本発明者は、そのネットワークに属するトランスポートストリームの連結送信時の物理的条件を記述した連結送信記述子［ｃｏｎｎｅｃｔｅｄ＿ｔｒａｎｓｍｉｓｓｉｏｎ＿ｄｅｓｃｒｉｐｔｏｒ（）］を、ＮＩＴ（Ｎｅｔｗｏｒｋ  Ｉｎｆｏｒｍａｔｉｏｎ  Ｔａｂｌｅ）に含める記述子として、新たに定義することとした。
以下、連結送信記述子［ｃｏｎｎｅｃｔｅｄ＿ｔｒａｎｓｍｉｓｓｉｏｎ＿ｄｅｓｃｒｉｐｔｏｒ（）］について説明をする。
図５に、連結送信記述子［ｃｏｎｎｅｃｔｅｄ＿ｔｒａｎｓｍｉｓｓｉｏｎ＿ｄｅｓｃｒｉｐｔｏｒ（）］のデータ構造を示す。
連結送信記述子［ｃｏｎｎｅｃｔｅｄ＿ｔｒａｎｓｍｉｓｓｉｏｎ＿ｄｅｓｃｒｉｐｔｏｒ（）］は、連結送信がされるトランスポートストリームのグループを識別して、このグループ内のトランスポートストリームを列挙することができる記述子である。この連結送信記述子［ｃｏｎｎｅｃｔｅｄ＿ｔｒａｎｓｍｉｓｓｉｏｎ＿ｄｅｓｃｒｉｐｔｏｒ（）］は、ＮＩＴのＴＳループ内に記述される。
［ｄｅｓｃｒｉｐｔｏｒ＿ｔａｇ］は、本記述子を他の識別子と識別するタグが記述される。
［ｄｅｓｃｒｉｐｔｏｒ＿ｌｅｎｇｔｈ］は、以下に続くデータの全バイト数が記述される。
［ｃｏｎｎｅｃｔｅｄ＿ｔｒａｎｓｍｉｓｓｉｏｎ＿ｇｒｏｕｐ＿ｉｄ］は、連結送信をしているトランスポートストリームのグループを識別する連結送信グループＩＤが記述される。
［ｓｅｇｍｅｎｔ＿ｔｙｐｅ］は、当該連結送信記述子が示しているトランスポートストリームが、１セグメント形式であるか、３セグメント形式であるか識別するセグメント形式種別が記述される。この［ｓｅｇｍｅｎｔ＿ｔｙｐｅ］は、２ビットの情報であり、図６に示すように、“００”が１セグメント形式を表し、“０１”が３セグメント形式を表し、“１１”がＴＭＣＣ信号を参照して判断することを表している。“１０”は将来のためのリザーブである。
［ｍｏｄｕｌａｔｉｏｎ＿ｔｙｐｅ＿Ａ］は、同期変調方式か差動変調方式かを示す変調方式種別が記述される。この［ｍｏｄｕｌａｔｉｏｎ＿ｔｙｐｅ＿Ａ］は、１セグメント形式の場合にはセグメント全体のデータの変調方式種別を表し、３セグメント形式の場合にはＡ階層の変調方式種別を表す。［ｍｏｄｕｌａｔｉｏｎ＿ｔｙｐｅ＿Ａ］は、２ビットの情報であり、図７に示すように、“００”が差動変調方式（ＤＱＰＳＫ）を表し、“０１”が同期変調方式（ＱＰＳＫ、１６ＱＡＭ、６４ＱＡＭ）を表し、“１１”がＴＭＣＣ信号を参照して判断することを表している。“１０”は将来のためのリザーブである。
［ｍｏｄｕｌａｔｉｏｎ＿ｔｙｐｅ＿Ｂ］は、３セグメント方式におけるＢ階層の変調方式が、同期変調方式か差動変調方式かを示す変調方式種別が記述される。なお、この瞳［ｍｏｄｕｌａｔｉｏｎ＿ｔｙｐｅ＿Ｂ］は、１セグメント形式の場合には意味をもたない。この［ｍｏｄｕｌａｔｉｏｎ＿ｔｙｐｅ＿Ｂ］は、２ビットの情報であり、［ｍｏｄｕｌａｔｉｏｎ＿ｔｙｐｅＡ］と同様に、“００”が差動変調方式（ＤＱＰＳＫ）を表し、“０１”が同期変調方式（ＱＰＳＫ、１６ＱＡＭ、６４ＱＡＭ）を表し、“１１”がＴＭＣＣ信号を参照して判断することを表している。“１０”は将来のためのリザーブである。
［ａｄｄｉｔｉｏｎａｌ＿ｃｏｎｎｅｃｔｅｄ＿ｔｒａｎｓｍｉｓｓｉｏｎ＿ｉｎｆｏ］は、事業者の運用規定で定める補足情報が記述される。
図８に、以上のような連結送信記述子［ｃｏｎｎｅｃｔｅｄ＿ｔｒａｎｓｍｉｓｓｉｏｎ＿ｄｅｓｃｒｉｐｔｏｒ（）］が記述されるＮＩＴのデータ構造を示す。
ＮＩＴ（Ｎｅｔｗｏｒｋ  Ｉｎｆｏｒｍａｔｉｏｎ  Ｔａｂｌｅ）は、ネットワークにより運ばれるトランスポートストリームの物理構成に関する情報、及び、ネットワーク自身の特性を示すテーブルである。ＮＩＴには、自己のネットワーク情報を示すＮＩＴ、他のネットワークの情報を示すＮＩＴがある。
［ｔａｂｌｅ＿ｉｄ］は、このネットワーク情報セクションが何を示すセクションであるかを示す識別子であり、自ネットワークのＮＩＴである場合には「０ｘ４０」なる値が、他ネットワークのＮＩＴである場合には「０ｘ４１」なる値が記述される。
［ｓｅｃｔｉｏｎ＿ｓｙｎｔａｘ＿ｉｎｄｉｃａｔｏｒ］は、セクションシンタクス指示を示す識別子であり、その値は常に「１」とされる。
［ｒｅｓｅｒｖｅｄ＿ｆｕｔｕｒｅ＿ｕｓｅ］は、将来のなんらかの情報を規定できるようしたリザーブ拡張領域である。
［ｒｅｓｅｒｖｅｄ］は、リザーブ領域である。
［ｓｅｃｔｉｏｎ＿ｌｅｎｇｔｈ］は、セクション長フィールドの直後からＣＲＣ（Ｃｙｃｌｉｃ  Ｒｅｄｕｎｄａｎｃｙ  Ｃｈｅｃｋ）を含むセクションの最後までのセクションのバイト数を規定する。
［ｎｅｔｗｏｒｋ＿ｉｄ］は、ＮＩＴが示すネットワークを識別するためのＩＤである。
［ｖｅｒｓｉｏｎ＿ｎｕｍｂｅｒ］は、サブテーブルのバージョン番号を示す。
［ｃｕｒｒｅｎｔ＿ｎｅｘｔ＿ｉｎｄｉｃａｔｏｒ］は、この値が「１」である場合に、サブテーブルが現在のサブテーブルであることを示し、「０」である場合に、送られるサブテーブルはまだ適用されず、次のサブテーブルを使用することを示す識別子である。
［ｓｅｃｔｉｏｎ＿ｎｕｍｂｅｒ］は、セクションの番号を示す。サブテーブル中の最初のセクションである場合に「０ｘ００」なる値となる。このセクション番号は、同一の［ｔａｂｌｅ＿ｉｄ］と［ｎｅｔｗｏｒｋ＿ｉｄ］とを有するセクションの追加ごとに値が「１」ずつ加算される。
［ｌａｓｔ＿ｓｅｃｔｉｏｎ＿ｎｕｍｂｅｒ］は、そのセクションが属するサブテーブルの最後のセクション、すなわち最大のセクション番号を有するセクションの番号を示す。
［ｎｅｔｗｏｒｋ＿ｄｅｓｃｒｉｐｔｏｒ＿ｌｅｎｇｔｈ］は、以下に続くネットワーク記述子（ｄｅｓｃｒｉｐｔｅｒ（）のこと）のループの全バイト数を示す。ループ内には、ネットワーク記述子ｄｅｓｃｒｉｐｔｅｒ（）が記述される。
［ｔｒａｎｓｐｏｒｔ＿ｓｔｒｅａｍ＿ｌｏｏｐ＿ｌｅｎｇｔｈ］は、ＣＲＣの最初のバイトの直前に終わるトランスポートストリームループの全バイト数を示す。
そして、以下ＴＳループが記述される。
ＴＳループ内の［ｔｒａｎｓｐｏｒｔ＿ｓｔｒｅａｍ＿ｉｄ］は、このトランスポートストリームを分配システム内の他の多重から識別するためのＩＤである。
［ｏｒｉｇｉｎａｌ＿ｎｅｔｗｏｒｋ＿ｉｄ］は、元のネットワークの［ｎｅｔｗｏｒｋ＿ｉｄ］を示すＩＤである。
［ｔｒａｎｓｐｏｒｔ＿ｄｅｓｃｒｉｐｔｏｒ＿ｌｅｎｇｔｈ］は、以下に続くトランスポート記述子（ｄｅｓｃｒｉｐｔｅｒ（）のこと）のループの全バイト数を示す識別子である。このトランスポート記述子内に、連結送信記述子［ｃｏｎｎｅｃｔｅｄ＿ｔｒａｎｓｍｉｓｓｉｏｎ＿ｄｅｓｃｒｉｐｔｏｒ（）］、地上分配システム記述子［ｔｅｒｒｅｓｔｒｉａｌ＿ｄｅｌｉｖｅｒｙ＿ｓｙｓｔｅｍ＿ｄｅｓｃｒｉｐｔｏｒ（）］、サービスリスト記述子Ｓｅｒｖｉｃｅ  Ｄｅｓｃｒｉｐｔｉｏｎ  Ｔａｂｌｅ［ｓｅｒｖｉｃｅ＿ｌｉｓｔ＿ｄｅｓｃｒｉｐｔｏｒ（）］が記述されることとなる。
［ＣＲＣ＿３２］は、ＣＲＣを示し、セクション全体を処理した後にレジスタ出力が「０」となるようなＣＲＣ値を含むエラーコードである。
以上のように、連結送信記述子［ｃｏｎｎｅｃｔｅｄ＿ｔｒａｎｓｍｉｓｓｉｏｎ＿ｄｅｓｃｒｉｐｔｏｒ（）］は、上記連結送信される複数の伝送チャネル（トランスポートストリーム）を関連づけている。従って、この連結送信記述子をＭＰＥＧ−２Ｓｙｓｔｅｍｓの制御情報に含めることによって、互いに連結送信がされた複数のトランスポートストリームの関連づけて、受信装置に知らせることができる。
このため、受信装置では、ＮＩＴに含まれた連結送信記述子を解析することにより、現在受信しているトランスポートストリームが含まれているセグメントに、連結送信がされた上隣接セグメント（高周波側に隣接するセグメント）が存在するか否か、並びに、連結送信がされた下隣接セグメント（低周波側に隣接するセグメント）が存在するか否かを判断することができ、さらに、それらの上隣接又は下隣接セグメントの変調方式が同期変調方式か或いは差動変調方式かを判断することができる。そのため、受信装置は、現在受信しているトランスポートストリームが含まれているセグメントの変調方式が同期変調方式の場合、上下隣接セグメントに含まれているＳＰ信号を利用して、伝送特性を推定することができる。このように隣接セグメントのＳＰ信号を利用して伝送特性を推定することができると、セグメントの周波数方向の端部部分のサブキャリアの伝送特性を正確に推定することができ、より正確に波形等化処理を行うことができる。
なお、連結送信された隣接した伝送チャネル（トランスポートストリーム）が３セグメント形式である場合には、その隣接伝送チャネル内のＢ階層が隣接セグメントとなり、このＢ階層が同期変調方式であればＳＰ信号を利用して伝送特性の推定をすることができる。また、受信中の伝送チャネルが３セグメント形式である場合には、Ａ階層のセグメントに対する隣接セグメントは、自己の伝送チャネル（トランスポートストリーム）内のＢ階層のセグメントとなる。また、Ｂ階層のセグメントに対する隣接セグメントは、自己の伝送チャネル（トランスポートストリーム）内のＡ階層のセグメントと、他の伝送シャネル（他のトランスポートストリーム）のセグメントとなる。
また、受信装置では、ＮＩＴに含まれた連結送信記述子を解析することにより、受信する伝送チャネルを切り換える場合、切り換え前の伝送チャネルと、切り換え後の伝送チャネルとが連結送信された関係にあるか否という情報を得ることができる。受信装置は、切り換え前の伝送チャネルと切り換え後の伝送チャネルとが連結送信されている場合には、切り換え前の伝送チャネルで確立していた同期タイミングを、引き続き切り換え後の伝送チャネルでも用いることができる。そのため、受信装置は、復調のための同期の引き込み動作を簡略化でき、チャネル切り換え時間が高速化することができる。
なお、以上の連結送信記述子は、２００１年７月２７日に発行のＡＲＩＢ  ＳＴＤ−Ｂ１０３．１版で定義されることとなった。
以上、上記連結送信される複数の伝送チャネル（トランスポートストリーム）を関連づける手法として、図５に示したような連結送信記述子［ｃｏｎｎｅｃｔｅｄ＿ｔｒａｎｓｍｉｓｓｉｏｎ＿ｄｅｓｃｒｉｐｔｏｒ（）］をＮＩＴに含めて送信する例について説明をしたが、以下に示すような第２の連結送信記述子［ｃｏｎｎｅｃｔｅｄ＿ｔｒａｎｓｍｉｓｓｉｏｎ＿ｄｅｓｃｒｉｐｔｏｒ＿２（）］と、ＡＲＩＢ  ＳＴＤ−Ｂ１０により規定されている地上分配システム記述子［ｔｅｒｒｅｓｔｒｉａｌ＿ｄｅｌｉｖｅｒｙ＿ｓｙｓｔｅｍ＿ｄｅｓｃｒｉｐｔｏｒ（）］を拡張した新たな地上分配システム記述子［ｔｅｒｒｅｓｔｒｉａｌ＿ｄｅｌｉｖｅｒｙ＿ｓｙｓｔｅｍ＿ｄｅｓｃｒｉｐｔｏｒ＿２（）］とによって、複数の伝送チャネル（トランスポートストリーム）を関連づけるようにしてもよい。
図９に、第２の連結送信記述子［ｃｏｎｎｅｃｔｅｄ＿ｔｒａｎｓｍｉｓｓｉｏｎ＿ｄｅｓｃｒｉｐｔｏｒ＿２（）］のデータ構造を示す。
連結送信記述子［ｃｏｎｎｅｃｔｅｄ＿ｔｒａｎｓｍｉｓｓｉｏｎ＿ｄｅｓｃｒｉｐｔｏｒ＿２（）］は、そのトランスポートストリームと連結送信がされるトランスポートストリームを列挙することができる記述子である。この連結送信記述子［ｃｏｎｎｅｃｔｅｄ＿ｔｒａｎｓｍｉｓｓｉｏｎ＿ｄｅｓｃｒｉｐｔｏｒ＿２（）］は、例えば自ネットワークのＮＩＴのＴＳループ内に記述される。
［ｄｅｓｃｒｉｐｔｏｒ＿ｔａｇ］は、本記述子を他の識別子と識別するタグである。
［ｄｅｓｃｒｉｐｔｏｒ＿ｌｅｎｇｔｈ］は、以下に続くループ（［ｆｏｒ（ｉ＝０；＜Ｎ；ｉ＋＋）｛  〜  ｝］のループのこと）の全バイト数を示す。
ループ［ｆｏｒ（ｉ＝０；＜Ｎ；ｉ＋＋）｛  〜  ｝］内には、［ｏｒｉｇｉｎａｌ＿ｎｅｔｗｏｒｋ＿ｉｄ］及び［ｔｒａｎｓｐｏｒｔ＿ｓｔｒｅａｍ＿ｉｄ］が記述される。
［ｏｒｉｇｉｎａｌ＿ｎｅｔｗｏｒｋ＿ｉｄ］は、連結送信がされているトランスポートストリームの元のネットワークのネットワークＩＤを示す。
［ｔｒａｎｓｐｏｒｔ＿ｓｔｒｅａｍ＿ｉｄ］は、連結送信がされているトランスポートストリームＩＤを識別するＩＤである。
また、図１０に、拡張した地上分配システム記述子［ｔｅｒｒｅｓｔｒｉａｌ＿ｄｅｌｉｖｅｒｙ＿ｓｙｓｔｅｍ＿ｄｅｓｃｒｉｐｔｏｒ＿２（）］のデータ構造を示す。
地上分配システム記述子［ｔｅｒｒｅｓｔｒｉａｌ＿ｄｅｌｉｖｅｒｙ＿ｓｙｓｔｅｍ＿ｄｅｓｃｒｉｐｔｏｒ＿２（）］は、地上伝送路の物理的条件を示す記述子である。この地上分配システム記述子は、ＮＩＴのＴＳループ内に記述される。
［ｄｅｓｃｒｉｐｔｏｒ＿ｔａｇ］は、本記述子を他の識別子と識別するタグである。
［ｄｅｓｃｒｉｐｔｏｒ＿ｌｅｎｇｔｈ］は、以下に続くデータの全バイト数を示す。
［ａｒｅａ＿ｃｏｄｅ］は、当該トランスポートストリームが送信されるサービスエリアを示す。この［ａｒｅａ＿ｃｏｄｅ］は、図１１に示すように、１６ビットに拡張している。
［ｇｕａｒｄ＿ｉｎｔｅｒｖａｌ］は、当該トランスポートストリームのガードインターバルを示す。
［ｔｒａｎｓｍｉｓｓｉｏｎ＿ｍｏｄｅ］は、当該トランスポートストリームのモード情報を示す。
［ｓｅｇｍｅｎｔ＿ｔｙｐｅ］は、１セグメント方式であるか、３セグメント方式であるかの形式識別をする１ビットの情報である。例えば、図１１に示すように、１セグメント方式であれば「０」が記述され、３セグメント方式であれば「１」が記述される。この［ｓｅｇｍｅｎｔ＿ｔｙｐｅ］は、ＡＲＩＢ  ＳＴＤ  Ｂ−１０に規定されていない新たな情報である。
［ｍｏｄｕｌａｔｉｏｎ＿ｔｙｐｅ＿Ａ］は、Ａ階層のセグメント形式が同期変調方式か、差動変調方式かを示す１ビットのセグメント形式識別情報である。例えば、図１１に示すようにＡ階層が同期変調方式であれば「０」が記述され、差動変調方式であれば「１」が記述される。この［ｍｏｄｕｌａｔｉｏｎ＿ｔｙｐｅ＿Ａ］は、ＡＲＩＢ  ＳＴＤ  Ｂ−１０に規定されていない新たな情報である。
［ｍｏｄｕｌａｔｉｏｎ＿ｔｙｐｅ＿Ｂ］は、Ｂ階層のセグメント形式が同期変調方式か、差動変調方式かを示す１ビットのセグメント形式識別情報である。例えば、図１１に示すようにＢ階層が同期変調方式であれば「０」が記述され、差動変調方式であれば「１」が記述される。この［ｍｏｄｕｌａｔｉｏｎ＿ｔｙｐｅ＿Ｂ］は、ＡＲＩＢ  ＳＴＤ  Ｂ−１０に規定されていない新たな情報である。
［ｍｏｄｕｌａｔｉｏｎ＿ｔｙｐｅ＿Ｃ］は、Ｃ階層のセグメント形式が同期変調方式か、差動変調方式かを示す１ビットのセグメント形式識別情報である。例えば、図１１に示すようにＣ階層が同期変調方式であれば「０」が記述され、差動変調方式であれば「１」が記述される。この［ｍｏｄｕｌａｔｉｏｎ＿ｔｙｐｅ＿Ｃ］は、ＡＲＩＢ  ＳＴＤ  Ｂ−１０に規定されていない新たな情報である。
［ｆｒｅｑｕｅｎｃｙ］は、当該トランスポートストリームが送信される周波数を示す識別子である。
以上のような第２の連結送信記述子［ｃｏｎｎｅｃｔｅｄ＿ｔｒａｎｓｍｉｓｓｉｏｎ＿ｄｅｓｃｒｉｐｔｏｒ＿２（）］と、拡張した地上分配システム記述子［ｔｅｒｒｅｓｔｒｉａｌ＿ｄｅｌｉｖｅｒｙ＿ｓｙｓｔｅｍ＿ｄｅｓｃｒｉｐｔｏｒ＿２（）］をＮＩＴのＴＳループ内に記述することによっても、互いに連結送信がされた複数のトランスポートストリームの関連づけて、受信装置に知らせることができる。
つぎに、送信局１０内の連結送信が可能な送信装置１００について説明をする。
送信装置１００は、図１２に示すように、複数のソースエンコーダ１０１ａ（１０１ａ−１０１〜１０１ａ−ｎ）と、ＯＦＤＭ送信装置１０２と、アンテナ１０３と、システム制御装置１０４とから構成される。
各ソースエンコーダ１０１ａは、ベースバンドのビデオデータやオーディオデータ等が入力され、これらを例えばＭＰＥＧ−２の方式で圧縮符号化してプログラムストリームを生成する。各ソースエンコーダ１０１ａは、これら複数のプログラムストリームを多重化して、ＭＰＥＧ−２Ｓｙｓｔｅｍｓに規定されるトランスポートストリームを生成する。各ソースエンコーダ１０１ａから出力される各トランスポートストリームが、各伝送チャネルに対応することとなる。また、各ソースエンコーダ１０１ａには、システム制御装置１０４により生成されたＮＩＴ等の制御情報（ＰＳＩ／ＳＩ情報）が入力され、これらもトランスポートストリームに含めて多重化する。この制御情報内に、上述した連結送信記述子［ｃｏｎｎｅｃｔｅｄ＿ｔｒａｎｓｍｉｓｓｉｏｎ＿ｄｅｓｃｒｉｐｔｏｒ（）］が含まれる。
ＯＦＤＭ送信装置１０２は、各ソースエンコーダ１０１ａから入力されたトランスポートストリーム毎、すなわち各伝送チャネル毎に伝送路符号化処理をし、図２及び図３に示したＯＦＤＭシンボルを、各トランスポートストリーム単位で生成する。続いて、ＯＦＤＭ送信装置１０２は、各伝送チャネル毎に生成された複数のＯＦＤＭシンボルを時間軸方向に同期させ、さらに、これらのＯＦＤＭシンボルを周波数方向に多重化する。続いて、ＯＦＤＭ送信装置１０２は、周波数方向に多重化したＯＦＤＭシンボルを、一括してＩＦＦＴ変換し、ＯＦＤＭ変調を行う。ＯＦＤＭ送信装置１０２は、以上のように処理を行うことにより、複数の伝送チャネルを連結することができる。そして、このＯＦＤＭ送信装置１０２により連結された複数の伝送チャネルの送信波は、アンテナ１０３を介して外部に送出される。
つぎに、送信された地上波放送を受信する受信装置２００について説明する。
受信装置２００は、図１３に示すように、送信装置１００によって送信される地上波放送の放送波を受信する受信アンテナ２２０から放送信号が入力されて、この放送信号に対してデジタル復調処置を施す復調部２０１と、復調部２０１によってデジタル復調処置が施された信号に対して復号化処理を施してトランスポートストリームを取り出す復号化部２０２と、復号化部２０２により取り出されたトランスポートストリームに多重化されているデジタルデータを抽出して、このデジタルデータの内容に応じた出力を行う抽出部２０３と、抽出部２０３によって抽出されたデジタルデータがそれぞれ入力されて、それぞれオーディオ信号、ビデオ信号、データ信号を生成するオーディオデコーダ２０４、ビデオデコーダ２０５、及びデータデコーダ２０６と、トランスポートストリームに含まれる制御情報（ＰＳＩ／ＳＩ情報）を保持するメモリ２０８と、当該受信装置２００の各部に対する制御を行うシステムコントローラ２０９と、ユーザからの操作入力がされる操作入力部２１１と、ユーザにデータ等の表示を行う表示部２１２とを備える。
復調部２０１は、受信アンテナ２２０から入力された放送信号に対して、デジタル復調処理を施す。
復号化部２０２は、復調部２０１でデジタル復調処理が施された信号に対して、デインターリーブ処理や誤り訂正処理などを行うことにより復号化し、トランスポートストリームを取り出す。
抽出部２０３は、復号化部２０２から入力されたトランスポートストリーム中のＴＳパケットに記述されたＰＩＤ（パケット識別番号）に基づいて、各ＴＳパケットを抽出し、各々のＴＳパケットに含まれるデジタルデータが、オーディオ信号に属するものであるかビデオ信号に属するものであるかなどを判別して、各デジタルデータごとに、オーディオデコーダ２０４やビデオデコーダ２０５などに出力する。また、抽出部２０３は、トランスポートストリーム中に含まれるＮＩＴ、ＳＤＴ、ＢＡＴ等のＰＳＩ／ＳＩ情報を抽出して、このＰＳＩ／ＳＩ情報に含まれる各情報をシステムコントローラ２０９に出力する。
オーディオデコーダ２０４、ビデオデコーダ２０５、及びデータデコーダ２０６は、それぞれ、抽出部２０３から入力されたデジタルデータに対して復号化処理を施すことにより、オーディオ信号、ビデオ信号、データ信号を生成する。
なお、音声情報だけの音声放送のみを受信する場合には、受信装置２００内のビデオデコーダ２０５及びデータデコーダ２０６を設けなくても良い。
メモリ２０８は、書き換え可能な各種半導体メモリにより構成することができ、例えば、受信装置２００に対して着脱自在とされていてもよい。
システムコントローラ２０９は、受信装置２００の各部と各種信号のやりとりをすることによって、各部の動作を制御する。また、抽出部２０３から入力されたＮＩＴ、ＳＤＴ、ＢＡＴ等のＰＳＩ／ＳＩ情報に含まれる情報を抽出し、メモリ２０８に保持する。
操作入力部２１１は、受信開始命令、サービスの切り替え命令、サービス番号の設定等、本受信装置に対する各種操作がユーザによりされるものである。
表示部２１２は、例えば液晶表示装置等からなり、サービス番号の表示、サービス名、付加情報等のユーザに対してデータ等の表示を行う。
つぎに、メモリ２０８上に構築されるデータベースについて説明をする。
メモリ２０８上には、地上分配システムリスト、サービスリスト、さらに、トランスポートストリームの連結送信関係がデータベースとして構築される。
受信装置２００のシステムコントローラ２０９は、抽出部２０３から入力されたＮＩＴ、ＳＤＴ（Ｓｅｒｖｉｃｅ  Ｄｅｓｃｒｉｐｔｉｏｎ  Ｔａｂｌｅ）に基づき、図１４及び図１５に示すような地上分配システムリスト及びサービスリストを構築する。ＮＩＴには、地上分配システム記述子、サービスリスト記述子が記述されており、これらを参照することにより、このような地上分配システムリスト及びサービスリストを構築することができる。この地上分配システムリスト及びサービスリストには、ＮＩＴで伝送されるＰＳＩに含まれる全てのサービスエリアで送信されているトランスポートストリームに関する情報が、各々のトランスポートストリームを識別する情報である「ｔｒａｎｓｐｏｒｔ＿ｓｔｒｅａｍ＿ｉｄ」に基づいてテーブル化されている。ただし、受信装置のメモリ量の削減のため、必ずしも全ての情報を常に記憶保持しておく必要はない。
例えば、「ｔｒａｎｓｐｏｒｔ＿ｓｔｒｅａｍ＿ｉｄ」が「ＴＳ１」であるトランスポートストリームを受信するために必要となる「周波数」、「モード」、「ガードインターバル」、「エリアコード」といった情報は、この「ｔｒａｎｓｐｏｒｔ＿ｓｔｒｅａｍ＿ｉｄ」に基づいて地上分配システムリストを参照することによって、それぞれ「×××ＭＨｚ」、「１０」、「１１」、「２０１０１００１００１１」であると分かり、同様にして、「ｔｒａｎｓｐｏｒｔ＿ｓｔｒｅａｍ＿ｉｄ」が「ＴＳ１」であるトランスポートストリームに含まれるサービス（プログラム）を特定するために必要となる「サービスＩＤ」や「サービスタイプ」などの情報は、サービスリストを参照することによって、それぞれ「サービス２」、「音声放送」であると分かる。
従って、受信装置２００は、地上分配システムリスト及びサービスリストを参照することによって、受信中のサービス（プログラム）から、他のサービス（プログラム）に受信を切り替えることが可能となる。
また、受信装置２００のシステムコントローラ２０９は、図１６に示すように、現在受信しているトランスポートストリーム内のＮＩＴから連結送信記述子［ｃｏｎｎｅｃｔｅｄ＿ｔｒａｎｓｍｉｓｓｉｏｎ＿ｄｅｓｃｒｉｐｔｏｒ（）］を抽出し、各連結送信記述子が示す「ＴＳ−ｉｄ」及び「連結送信グループＩＤ」並びに必要に応じて「サービスＩＤ」及び「ネットワークＩＤ」をリスト化した連結送信リストを構築する。
このように連結送信リストを構築することにより、現在受信しているトランスポートストリームから、連結送信記述子により関連づけられた他のトランスポートストリームを認識することができ、例えば、連結送信関係にあるトランスポートストリームを切り換える場合には、これらのリストを参照することにより、早急に切り換えを行うことができる。
また、受信中のサービス（プログラム）から、他のサービス（プログラム）への受信切り換え操作がされると、システムコントローラ２０９は、まず、メモリ２０８上に構築されている連結送信リストを参照する。ここで、切り換え先のトランスポートストリームが連結送信リストに示されていない場合には、通常の受信開始処理を行う。それに対して、切り換え先のトランスポートストリームが連結送信リストに示されている場合には、復調時における同期動作を保持したまま、チャネルの切換を行うようにする。
なお、連結送信記述子は、全てのトランスポートストリームに対して常に定義されているというわけではないので、連結送信がされていないトランスポートストリームに対しては、連結送信リストを構築しなくてもよい。
また、トランスポートストリーム毎に連結送信関係は異なっているため、トランスポートストリームの切り換えがあった場合には、連結送信リストの更新処理を行うようにする。
産業上の利用可能性
本発明にかかるデジタル放送システム、デジタル放送送信装置、デジタル放送受信装置並びにデジタル放送方法では、ＭＰＥＧ−２Ｓｙｓｔｅｍｓに規定されたトランスポートストリームを直交周波数分割多重（ＯＦＤＭ）方式で変調した信号が放送信号として適用でき、さらに、複数の伝送チャネルに伝送するＯＦＤＭ信号を直交性を保った状態で周波数方向に多重化する連結送信を行う場合、連結送信される複数のトランスポートストリームを関連づける連結送信記述子を、ＭＰＥＧ−２Ｓｙｓｔｅｍｓに規定された制御情報に含めて送信する。
このことにより、本発明では、受信側で、連結送信されている伝送チャネルを知ることができる。
【図面の簡単な説明】
図１は、本発明の実施の形態のデジタル放送システムについて説明するための図である。
図２は、ＩＳＤＢ−Ｔｎで規定されているＯＦＤＭセグメントのデータ構成（差動変調の場合）について説明するための図である。
図３は、ＩＳＤＢ−Ｔｎで規定されているＯＦＤＭセグメントのデータ構成（同期変調の場合）について説明するための図である。
図４は、ＩＳＤＢ−Ｔｎで規定されているセグメント構造について説明するための図である。
図５は、連結送信記述子のデータ構造を説明するための図である。
図６は、上記連結送信記述子内のセグメント形式種別について説明するための図である。
図７は、上記連結送信記述子内の変調方式種別について説明するための図である。
図８は、ＮＩＴのデータ構造を説明するための図である。
図９は、第２の連結送信記述子のデータ構造を説明するための図である。
図１０は、拡張した地上分配システム記述子のデータ構造を説明するための図である。
図１１は、上記拡張した地上分配システム記述子に記述されるデータ内容について説明するための図である。
図１２は、上記デジタル放送システムで用いられる送信装置の構成を説明するための図である。
図１３は、上記デジタル放送システムで用いられる受信装置の構成を説明するための図である。
図１４は、地上分配システムリストを説明するための図である。
図１５は、サービスリストを説明するための図である。
図１６は、連結送信リストを説明するための図である。
【図１】
0004352701.tif 000002
【図２】
0004352701.tif 000003
【図３】
0004352701.tif 000004
【図４】
0004352701.tif 000005
【図５】
0004352701.tif 000006
【図６】
0004352701.tif 000007
【図７】
0004352701.tif 000008
【図８】
0004352701.tif 000009
【図９】
0004352701.tif 000010
【図１０】
0004352701.tif 000011
【図１１】
0004352701.tif 000012
【図１２】
0004352701.tif 000013
【図１３】
0004352701.tif 000014
【図１４】
0004352701.tif 000015
【図１５】
0004352701.tif 000016
【図１６】
0004352701.tif 000017